(57)【要約】【課題】  簡便な構造で容易に設置可能な防水手段によって、ピット１５内に設置した制御装置５を冠水から保護し、保守性を向上した機械室レス・エレベーターを実現すること。【解決手段】  昇降路ピット１５近傍に設置したエレベーター制御装置５を、水に浮く浮揚部材１０付の、上部を開放した防水箱８で覆って耐冠水構造とした。この防水箱８を制御装置５の真下に置き、垂直方向へ上下動自在とすることにより、狭いスペースに設置可能であり、据付けや通常時の保守作業性を向上した。【選択図】  図１
2006036405.tif 000002
【特許請求の範囲】
【請求項１】
複数の階床をサービスするエレベーター乗りかごと、昇降路内に設置した巻上機と、この巻上機を介して前記乗りかごとともに吊られたカウンターウェイトと、前記乗りかごと前記カウンターウェイトをそれぞれガイドするガイドレールを備えたエレベーター装置において、前記昇降路内のピットよりも上方で、かつ、最下階床レベルの上下に跨って位置するように配置した制御装置と、通常、この制御装置の下端付近と前記ピットとの間に位置するとともに、冠水によって浮揚し、前記制御装置を下方から覆うように上方が開口した防水箱を設けたことを特徴とするエレベーター装置。
【請求項２】
請求項１において、前記防水箱は、その下部に、水に浮く浮揚部材を取付けた構造であることを特徴とするエレベーター装置。
【請求項３】
請求項１又は２において、前記制御装置は、その上部を前記ガイドレールに固定する取付け部材を備え、前記防水箱の浮揚上限を、最下階床レベルよりも上まで前記制御装置を覆う位置となるように構成したことを特徴とするエレベーター装置。
【請求項４】
請求項１〜３のいずれかにおいて、前記防水箱を、前記ガイドレールに上下動自在にガイドするガイド部材を備えたことを特徴とするエレベーター装置。
【請求項５】
請求項１〜３のいずれかにおいて、前記制御装置の筐体に取付けられ、前記防水箱を上下動自在にガイドするガイド部材を備えたことを特徴とするエレベーター装置。
【発明の詳細な説明】
【技術分野】
【０００１】
本発明は、エレベーター装置に係り、特に、昇降路内に巻上機と制御装置を設置したエレベーター装置に関する。
【背景技術】
【０００２】
特許文献１には、昇降路ピットが水没した時に、ピットに設けられた機器に冠水しないように、堰体を設けたエレベーター装置が開示されている。
【０００３】
また、特許文献２には、昇降路ピットに設置した制御装置に対し、袋状の防水仕様の部材で下方から覆って冠水から守り、この袋にファスナーを取付けて保守性を確保したエレベーター装置が開示されている。
【０００４】
【特許文献１】特開２０００−１７７９４５号公報（全体。特に、図４〜７）
【特許文献２】特開２０００−２７２８６０号公報（全体）
【発明の開示】
【発明が解決しようとする課題】
【０００５】
上記従来技術によれば、いずれも、ピットに水が溜まっても機器を防水できる。しかし、特許文献１の図４〜７では、可撓性シートが劣化したり、保守作業の邪魔になり損傷する惧れがある。また、特許文献１のその他の図に示されたものは、いずれも構成が複雑で、これ自体の保守作業に手間がかかる欠点がある。さらに、特許文献２では、防水を達成すれば、制御装置の放熱が十分でなく、十分な放熱を実現すると防水性を損なうというジレンマがあり、また、保守員が保守作業のために開けたファスナーを閉め忘れ、肝心の冠水時に制御装置を防水できない危険性がある。
【０００６】
本発明の目的は、保守性に優れ、かつ、確実な防水性を実現できる制御装置を備えたエレベーター装置を提供することである。
【課題を解決するための手段】
【０００７】
本発明の望ましい実施態様においては、昇降路内のピットよりも上方で、かつ、最下階床レベルを跨ぐように配置した制御装置と、通常、この制御装置の下端付近と前記ピットとの間に位置するとともに、冠水によって浮揚し、前記制御装置を下方から覆うように、上方を開口した防水箱を設ける。具体的には、上記防水箱の下部に、水に浮く部材を取付けた構造である。この防水箱は、軽くて腐食しにくく、防水性を発揮する材料で構成することが望ましく、例えば、プラスチックや発泡スチロールなどの合成樹脂や、アルミ枠にビニールシートを張った構造などが好適である。
【０００８】
また、本発明の他の望ましい実施態様においては、制御装置は、その上部をガイドレールに固定する取付け部材を備え、防水箱の浮揚上限を、防水箱で制御装置を最下階床レベルよりも上まで覆う位置となるようにしている。
【０００９】
さらに、本発明の他の望ましい実施態様においては、防水箱用のガイド部材を、制御装置の筐体に取付け、防水箱を上下動自在にガイドさせている。具体的には、制御装置の筐体から下方に伸びる防水箱ガイド用ブラケットを取付けている。
【発明の効果】
【００１０】
本発明の望ましい実施態様によれば、保守性に優れ、かつ、確実な防水性を実現できる制御装置を備えたエレベーター装置を提供することができる。
【００１１】
また、本発明の他の望ましい実施態様によれば、新たなレールなどの部材を追加することなく、既存のガイドレールなどを用いて、通常の昇降路内での保守作業が容易な形で制御装置を配置でき、冠水時には、制御装置を十分な上部位置まで防水することができる。
【００１２】
本発明のその他の目的と特徴は、以下に述べる実施例によって明らかにする。
【発明を実施するための最良の形態】
【００１３】
図１は、本発明の一実施例によるエレベーター装置の全体構成図である。エレベーター乗りかご１とカウンターウェイト２を、巻上機４を介してロープ３で吊ることによってバランスをとっている。乗りかご１は、その下部に設けたプーリ１３，１４にロープを通す構造をしている。巻上機４は、ピット１５に、乗りかご１の垂直投影下に設置している。図１では、乗りかご１、カウンターウェイト２、巻上機４の構成の概念として示しており、平面上の配置関係は一部無視して図示している。制御装置５は、昇降路１２の側壁に沿って、ガイドレール６にブラケット７で取付けられる形で配置されている。すなわち、制御装置５は、その上下方向長さが、エレベーター乗りかご１の最下サービス階床レベル１６を跨ぐ形で、昇降路内に配置されている。制御装置５は、その上部で、制御装置５の筐体とガイドレール６に取付けたブラケット（取付け部材）７によって、ガイドレール６に取付けている。
【００１４】
巻上機４や制御装置５をピット１５内に設置する場合、水害等でピット１５が冠水した場合の対策を講じる。巻上機４は、防水構造とすることができるが、制御装置５は、熱的な理由から、密閉した防水構造とすることは難しい。制御装置５を、最下階床レベル１６よりも上方に設置して、ピット１５の冠水に対応することも考えられる。しかし、ピット１５の深さは、最下階床レベル１６から１．５ｍ程度ある場合も多く、保守員がピット１５から制御装置５を点検するとき、作業性が悪くなる。
【００１５】
そこで、この実施例では、制御装置５を昇降路１２内のピット１５近くに設置する。冠水対策としては、制御装置５を、防水箱８で覆うことによって達成する。すなわち、防水箱８は、通常、制御装置５の真下に位置し、その下部には、水に浮く浮揚部材１０を取付け、上方を開放した箱型形状である。
【００１６】
通常、図１に示すように、防水箱８は、制御装置５の下端５１よりも下方にあり、制御装置５を覆っていない。このため、制御装置５の放熱は十分であり、また、保守作業は、容易に行うことができる。一方、ピット冠水時には、防水箱８が水位の上昇とともに浮揚し、最下階の床面レベル１６よりも上まで制御装置５を覆うことによって、ピット１５の冠水に耐えることができる。
【００１７】
図２は、本発明の一実施例における制御装置５の部分拡大図である。制御装置５は、前述したように、その上方で、ブラケット（取付け部材）７によってレール６に取付けられている。すなわち、制御装置５の筐体から上方へ伸ばしたブラケット７１，７２を、ガイドレール６から側方へ伸ばしたブラケット７３，７４に取付けている。防水箱８には、その下部に水に浮く浮揚部材１０を取付けている。また、防水箱８にブラケット９１，９２を取付け、カウンターウェイト２のガイドレール６にガイドさせることで、防水箱８の水平方向の動きを規制し、垂直方向に自在に動かすことができる。
【００１８】
通常、図１や図２に示すように、制御装置５全体が昇降路１２内に露出しており、制御装置５の放熱が可能なようになっている。一方、ピット１５の冠水時には、防水箱８の下部の浮揚部材１０によって防水箱８は浮揚する。浮揚した防水箱８は、その上方の開口から制御装置５を下から呑み込む形で制御装置５を覆う。冠水がひどい場合には、防水箱８の上端部は、最下階床レベル１６よりも上まで到達するような長さとする。
【００１９】
図３は、ピット冠水時に、制御装置５を防水箱８によって覆い、制御装置５を防水している状態を示している。この結果、水害等によるピット冠水時にも、制御装置５が水に浸されることは無い。
【００２０】
図４は、本発明の他の実施例における制御装置５の部分拡大図である。図４では、防水箱８をガイドレール６などに支持させるのではなく、制御装置５の筐体の下部に、防水箱ガイド用ブラケット（ガイド部材）１１１，１１２を取付けたものである。図２，３と同様に、防水箱８には、その下部に水に浮く浮揚部材１０を取付けている。
【００２１】
この実施例では、既存の制御装置５の筐体にブラケット１１１，１１２を取付け、これらに沿わせることで水平方向の動きを規制し、垂直方向に自在に動かすことができる。これにより、防水箱８は、冠水時に、このブラケット１１１，１１２にガイドされて垂直に浮揚し、制御装置５を覆うことが可能である。防水箱ガイド用ブラケット１１１，１１２は、防水箱８の上端部が最下階床レベル１６より上まで制御装置５を覆うことができる程度の長さとなっている。
【００２２】
図５は、ピット冠水時に、制御装置５を防水箱８によって覆い、制御装置５を防水している状態を示している。
【００２３】
以上に述べた図１〜５の実施例によって、水害等でピット１５に冠水した場合には、防水箱８が下から浮揚してせり上がり、最下階床レベル１６より上部まで制御装置５をカバーでき、制御装置５に水が浸入することは無い。このように、制御装置５に水が浸入しないので、水損によって制御装置５を交換する必要も無く、水害時にも、迅速にエレベーターの運転を再開できる。また、制御装置５を最下階床レベル１６より下部のピット１５に近接して設置できるため、保守作業もピット内で容易に行うことができ、従来のように点検台（図示しない）に登る必要が無く、保守員の落下などの事故を防ぐことができる。さらに、ピット側壁に沿って制御装置５を配置し、その直下に防水箱８を設置することができ、ピット１５内の機器の配置の自由度は高く、保守性を向上できる。
【００２４】
以上の実施例によれば、ガイドレール６や制御装置５の筐体など、既存の機器にガイドさせるように防水箱８を追加するだけの極めてシンプルな構成で、ピット１５近傍に設置した制御装置５を、ピット冠水から守ることができる。また、ピット１５の側壁に沿って配置した制御装置５の真下に防水箱８を設置したので、防水箱８は保守作業の邪魔になることはなく、保守性も向上する。
【図面の簡単な説明】
【００２５】
【図１】本発明の一実施例によるエレベーター装置全体を示す概略構成図。
【図２】同じく本発明の一実施例によるピットに配置された制御装置の部分拡大図。
【図３】同じく本発明の一実施例において、ピット冠水時の制御装置防水状態図。
【図４】同じく本発明の他の実施例によりピットに配置された制御装置の部分拡大図。
【図５】同じく本発明の他の実施例において、ピット冠水時の制御装置防水状態図。
【符号の説明】
【００２６】
１…乗りかご、２…カウンターウェイト、３…ロープ、４…巻上機、５…制御装置、６…ガイドレール、７…制御装置取付け部材（ブラケット）、８…防水箱、９，１１…防水箱ガイド用取付け部材（ブラケット）、１０…浮揚部材、１２…昇降路、１３，１４…プーリ。
【図１】
2006036405.tif 000003
【図２】
2006036405.tif 000004
【図３】
2006036405.tif 000005
【図４】
2006036405.tif 000006
【図５】
2006036405.tif 000007